(57)【要約】【課題】新設サッシ枠の上下方向の開口寸法が大きいと共に、施工時に屑が発生しない改装サッシとする。【解決手段】既設サッシ枠１０内に新設サッシ枠２０が挿入され、その既設サッシ枠１０の既設下枠１２は、そのレール１４が上面１２ａとほぼ平行に折り曲げてあると共に、この既設下枠１２の上に新設下枠２２が取付けてある改装サッシで、レール１４が邪魔にならずに新設サッシ枠２０の上下方向の開口寸法が大きく、レール１４は切断せずに折り曲げてあるから屑とならず、施工時に屑が発生しない。【選択図】図１
2005282057.tif 000002
【特許請求の範囲】
【請求項１】
建物躯体に残存した既設サッシ枠内に、新設サッシ枠が挿入され、
この新設サッシ枠の新設下枠は、レールが折り曲げられた既設下枠の上に取付けてあることを特徴とする改装サッシ。
【請求項２】
既設下枠のレールは、その既設下枠の上面とほぼ平行となるように折り曲げられている請求項１記載の改装サッシ。
【請求項３】
既設下枠は室内側のレールと室外側のレールを備え、その室外側のレールを折り曲げ、室内側のレールに取付け補助部材をビス止めし、
この取付け補助部材に新設下枠をビスによって取付けた請求項１又は２記載の改装サッシ。
【発明の詳細な説明】
【技術分野】
【０００１】
本発明は、建物躯体に残存した既設サッシ枠に新設サッシ枠を取付けた改装サッシに関する。
【背景技術】
【０００２】
特許文献１に改装サッシが開示されている。
この改装サッシは、建物躯体に残存した既設サッシ枠内に、新設サッシ枠が挿入され、その新設サッシ枠の新設下枠が、レールが切断して除去された既設下枠の上に取付けてある。
【０００３】
【特許文献１】特開２００３−３２８６４５号公報
【発明の開示】
【発明が解決しようとする課題】
【０００４】
前述の従来の改装サッシは、既設下枠のレールが切断して除去してあるので、新設下枠の下面部と既設下枠の上面部との間に無駄なスペースが存在しないから、新設サッシ枠の上下方向の開口寸法（つまり、新設上枠と新設下枠との間隔）を大きくできる。
しかしながら、前述の従来の改装サッシは、既設下枠のレールを切断して除去しているので、その切断したレールが屑となり、処理に手間がかかる。また、切断音が発生する。
【０００５】
本発明の目的は、新設サッシ枠の上下方向の開口寸法が大きいと共に、施工時に屑が発生することがない改装サッシを提供することを目的とする。
【課題を解決するための手段】
【０００６】
本発明は、建物躯体に残存した既設サッシ枠内に、新設サッシ枠が挿入され、
この新設サッシ枠の新設下枠は、レールが折り曲げられた既設下枠の上に取付けてあることを特徴とする改装サッシである。
前述の既設下枠のレールは、斜めでも良いが、その既設下枠の上面とほぼ平行となるように折り曲げられていることが好ましい。
【発明の効果】
【０００７】
この発明によれば、新設サッシ枠の上下方向の開口寸法が大きいと共に、施工時に屑が発生することがない。
【発明を実施するための最良の形態】
【０００８】
図１と図２に示すように、建物躯体１のサッシ取付開口部２に既設サッシ枠１０が残存している。
この既設サッシ枠１０は既設上枠１１と既設下枠１２と左右の既設縦枠１３を方形枠組みしてある。
この実施の形態では建物躯体１はコンクリート製で、既設上枠１１、既設下枠１２、既設縦枠１３はアンカー等を用いて取付けてある。これに限ることはなく、建物躯体１が木製の場合には木ねじなどで取付けることができる。
前記既設下枠１２は室内外側のレール１４を備え、この室外側のレール１４は折り曲げられて既設下枠１２の上面１２ａとほぼ平行な姿勢、好ましくは上面１２ａに接した姿勢となっている。なお、後述の新設サッシ枠２０と干渉しなければ斜めでも良い。また、室内側のレール１４と干渉する場合も斜めでも良い。
【０００９】
前記既設サッシ枠１０内に新設サッシ枠２０が挿入してある。
前記新設サッシ枠２０は、新設上枠２１と新設下枠２２と新設縦枠２３を方形枠組みしてある。
前記新設下枠２２が既設下枠１２の上に取付けてある。
このようであるから、新設下枠２２を取付ける際に既設下枠１２のレール１４が邪魔にならず、その新設下枠２２の下面部と既設下枠１２の上面部との間に無駄なスペースがない。
したがって、新設サッシ枠２０の上下方向の開口寸法を大きくできる。
【００１０】
前記既設下枠１２の室外側のレール１４は既設サッシを構成している時には図１に仮想線で示すように既設下枠１２の上面１２ａより立ち上がっている。
この立ち上がっているレール１４を折り曲げるには、その既設下枠１２の上面１２ａに近いレール１４の基部に折り目を入れる。
例えば、２つの切刃が接近、離隔するように揺動するタイプの工具を用いてレール１４の基部を強く挟持して折り目となる凹溝を長手方向に連続、又は間隔を置いて形成する。
この状態で、作業者が手又は工具を用いて折り目から折り曲げる。
【００１１】
図１に示す既設下枠１２は、室内側の縦板１２ｂと室外側の横板１２ｃと室内側の横板１２ｄでほぼクランク形状で、その室外側の横板１２ｂの室内側寄りと室外側寄りとにレール１４をそれぞれ備えている。つまり、室内側寄りのレール１４は内障子を走行ガイドし、室外側寄りのレール１４は外障子を走行ガイドするもので、既設サッシは引き違いサッシである。
そして、新設下枠２２は、室内側寄りの横板２２ａと縦板２２ｂと室外側寄りの横板２２ｃで断面ほぼクランク形状で、この新設下枠２２は取付けに際し既設下枠１２の室外側寄りのレール１４と干渉するが室内側寄りのレール１４とは干渉しないので、室内側寄りのレール１４は立ち上がったままの姿勢とし、室外側寄りのレール１４のみ折り曲げている。
図１においては、既設下枠１２の両方のレール１４の間隔が広いので室外側のレール１４を室内側に向けて折り曲げている。
【００１２】
なお、新設下枠２２が室内側寄りのレール１４と干渉する場合には室内側寄りのレール１４も折り曲げる。
この場合にレール１４を室内側に向けて折り曲げると縦板１２ｂと干渉する際には、室外側に向けて折り曲げて室外側寄りのレール１４と重ね合わせる。
つまり、複数のレール１４を備えた既設下枠の場合には、新設下枠２２の形状や取り付け方によって、その新設下枠２２と干渉するレール１４を折り曲げることが好ましい。
【００１３】
図１においては、室内側寄りのレール１４に取付け補助部材１５をビス１６で取付け、新設下枠２２の室内側寄りの横板２２ａからビス１７を取付け補助部材１５に螺合して新設下枠２２を既設下枠１２の上に取付けている。
そして、新設下枠２２の室外側寄りの横板２２ｃが折り曲げたレール１４と対向している。
【００１４】
次に、新設上枠２１の取付けを説明するが、この取付けに限ることはなく、任意の取付けができる。
前記既設上枠１１には上枠下地材３０が取付けてある。
この上枠下地材３０にスペーサ３１を介して新設上枠２１を接し、ビス３２で固着する。
上枠用保持部材３３の横片３３ａが新設上枠２１とスペーサ３１との間に室内側から挿入され、その横片３３ａが新設上枠２１の係合部２１ａに係合している。
前記上枠用保持部材３３の縦片（フランジ）３３ｂは、新設上枠１１の室内側部と新設上枠２１の室内側部にビス３４でそれぞれ固着してある。
【００１５】
前記新設上枠２１の取付けの手順としては、まず、既設上枠１１に上枠下地材３０を取付ける。そして、新設サッシ枠２０を既設サッシ枠１０内に挿入した後に、スペーサ３１を設けると共に、上枠用保持部材３３の横片３３ａを室内側から挿入して係合部２１ａに係合し、この後に縦片３３ｂをビス３４でそれぞれ固着する。
【００１６】
次に、新設縦枠２３の取付けを説明するが、この取付けに限ることはなく、任意の取付けができる。
前記既設縦枠１３には縦枠下地材４０が取付けてある。
この縦枠下地材４０にスペーサ４１を介して新設縦枠２３を接し、ビス４２で固着する。
縦枠用保持部材４３の横片４３ａが新設縦枠２３とスペーサ４１との間に室内側から挿入され、その横片４３ａが新設縦枠２３の係合部２３ａに係合している。
前記縦枠用保持部材４３の縦片（フランジ）４３ｂは、新設縦枠１３の室内側部と新設縦枠２３の室内側部にビス４４でそれぞれ固着してある。
【００１７】
前記新設縦枠２３の取付けの手順としては、まず、既設縦枠１３に縦枠下地材４０を取付ける。そして、新設サッシ枠２０を既設サッシ枠１０内に挿入した後に、スペーサ４１を設けると共に、縦枠用保持部材４３の横片４３ａを室内側から挿入して係合部２３ａに係合し、この後に縦片４３ｂをビス４４でそれぞれ固着する。
【００１８】
前述したように既設サッシ枠１０内に新設サッシ枠２０を挿入して取付けた改装サッシにおいては、新設サッシ枠２０の施工誤差、既設サッシ枠１０の施工誤差、建物躯体１の変形によるサッシ取付開口部２の変形、サッシ取付開口部２の室内側部に取付けてある木製の上下横額縁３，４、左右の縦額縁５のそり等が発生することがある。
このような場合を想定して図１、図２に示す改装サッシにおいては、サッシ取付開口部２の上内面２ａの（上横額縁３）、左右の縦内面２ｂ（縦額縁５）と新設サッシ枠２０の新設上枠２１、新設縦枠２３との間に隙間（クリアランス）Ｓを形成し、前述したことが発生しても新設サッシ枠２０を取付けできるようにしてある。
【００１９】
また、前述の隙間Ｓがあると見栄えが悪いし、その隙間Ｓは上と左右で均一にならない場合があり、その場合には著しく見栄えが悪い。
このために、前述の隙間Ｓを閉塞する目地隠し材を設けて見栄えを良くしている。
例えば、前記上枠用保持部材２３の縦片３３ｂに上カバー材５０を取付け、この上カバー材５０に上横目地隠し材５１を装着し、その上横目地隠し材５１を上内面２ａに接して隙間Ｓを閉塞する。
前記縦枠用保持部材４３の縦片４３ｂに縦カバー材５２を取付け、この縦カバー材５２に縦目地隠し材５３を装着し、その縦目地隠し材５３を縦内面２ｂに接して隙間Ｓを閉塞する。
前記各目地隠し材５１，５３は樹脂製で、通常一般には気密材として用いるものである。これに限ることはないが、隙間Ｓの大きさが異なる場合に対応するために弾性変形するものが好ましい。
【００２０】
前述の各カバー材５０，５２は各縦片３３ｂ，４３ｂにスナップ式に取付けて室内からの見栄えを良くすると共に、簡単に取付けできるようにしてある。
例えば、各縦片３３ｂ，４３ｂに係止凹部５５を形成すると共に、各カバー５０，５２に係止片５６を設け、この係止片５６を係止凹部５５にスナップ式に係合して取付ける。
また、各目地隠し材５１，５３を隙間に押し込むようにしても良い。
【００２１】
図１、図２に示すような改装サッシにおいては、既設サッシ枠１０を新設サッシ枠２０で完全に覆って見えないようにすることは施工上の問題などで大変困難で、既設サッシ枠１０の一部分が見えるのが一般的である。
そこで、図１、図２に示す改装サッシでは、前述の上カバー５０、上目地隠し材５１で既設上枠１１の室内側部分を完全に覆っている。
前述の縦カバー５２と縦目地隠し材５３で既設縦枠１２の室内側部分を完全に覆っている。
【００２２】
また、既設下枠１２の室内側の横板１２ｄに室内側下塞ぎ材６０を取付けて既設下枠１２の室内側部分を完全に覆っている。
前記室内側下塞ぎ材６０はスナップ式に取付けてある。例えば、既設下枠１２の室内側部分１２ｄに受け材６１をビス６２で取付け、この受け材６１の係止部６１ａに係止する係止片６３を室内側下塞ぎ材６０の裏面に一体的に設け、その係止片６３を係止部６１ａに係止して取付けている。
【００２３】
図１に示すように、新設上枠２１の室外側部に上アタッチメント６４をビス６５で取付け、この上アタッチメント６４に室外側上塞ぎ材６６を設け、その室外側上塞ぎ材６６を上内面２ａの室外側部分に接して既設上枠１１の室内側部分を完全に覆っている。
前記ビス６５は新設上枠２１の室外側垂下片２１ｂで覆われて室外から見えないようにしてある。
【００２４】
図２に示すように、新設縦枠２３の室外側部に縦アタッチメント６７をビス６８で取付け、この縦アタッチメント６７に室外側縦塞ぎ材６９を設け、その室外側縦塞ぎ材６９を縦内面２ｂの室外側部に接し、既設縦枠１３の室外側部を完全に覆っている。
前記ビス６８は新設縦枠２３の室外側内向片２３ｂで覆われ、室外から見えないようにしてある。
前記各塞ぎ材６６，６９は樹脂製で、通常一般には気密材として用いるものである。これに限ることはないが、弾性変形するものが好ましい。
【００２５】
前記既設下枠１２が水切り１８を備えている場合には、その水切り１８を覆う室外側下塞ぎ材７０を新設下枠２２の室外側部にビス７１で取付け、この室外側下塞ぎ材７０で水切り１８を覆うと共に、新設下枠２２から雨水等を室外に排水するようにする。
【００２６】
前述のようにすることで、既設サッシ枠１０を完全に覆って全く見えなくできる。
その結果、新設サッシ枠２０の色を既設サッシ枠１０の色と変えることができるので、サッシ枠の色を外壁や室内の色に合わせた好みの色にすることができる。
また、乾式で施工するのでマスキング、養生も必要なく、施工コストも安くなる。
【図面の簡単な説明】
【００２７】
【図１】改装サッシの縦断面図である。
【図２】改装サッシの横断面図である。
【符号の説明】
【００２８】
１…建物躯体、１０…既設サッシ枠、１１…既設上枠、１２…既設下枠、１３既設縦枠、１４…レール、２０…新設サッシ枠、２１…新設上枠、２２…新設下枠、２３…新設縦枠。
【図１】
2005282057.tif 000003
【図２】
2005282057.tif 000004